(57)【要約】【課題】  従来、特許文献において、スポンジ素材で、マットレスに、矩形の切込み（溝）を形成し、この切込み間に、方形状の突部を、多数個形成するとともに、この各突部の大きさを変更し、病人が起上る等の所作を、助成する構造が提案されている。しかし、この発明は、人の行動の容易性と、介護者の介護の容易性を図ることに留まる。本発明が意図する、シリコンベッドの弾性の改良でない。【解決手段】  本発明は、ベッドマットをシリコンで成形したシリコンベッドとし、シリコンベッドには、素材以外の弾性を確保し、しかもシリコンベッドに人が就寝した際に、人の荷重に対応可能とするために、シリコンベッドの複数の切条領域を形成史、この切条領域の面密度・面積と、深さを、適宜選択可能とする構成であり、シリコンベッドに、究極の弾性を確保し、癒し空間と眠り空間を、ベッドで達成する。【選択図】      図１
2014068982.tif 000002
【特許請求の範囲】
【請求項１】
寝具のベッドマットを、シリコンで成形したシリコンベッドとする構成であって、
このシリコンベッドには、素材が有する弾性に、さらに浮遊性を確保するために、その表面から内部に向かって複数の切条を形成し、この複数の切条で切条領域を形成するとともに、このそれぞれの切条領域は、少なくとも、前記シリコンベッドに就寝する人の身体の各部位に対応した構成であり、
かつこのそれぞれの切条領域の、少なくとも、深さ、及び／又は、面密度により、前記浮遊性を確保する構成としたシリコンベッド。
【請求項２】
請求項１に記載のシリコンベッドにおいて、
前記それぞれの切条領域は、少なくとも、深さ、及び／又は、面密度を、次のような順序とする構成としたシリコンベッド。
第一が、臀部で、第二が、頭部で、第三が、肩部で、第四が、脚部である。
【請求項３】
請求項１に記載のシリコンベッドにおいて、
前記それぞれの切条領域は、渦型、角型、波形、又は菱型、三角型、直線型の構造とするシリコンベット。
【請求項４】
請求項１に記載のシリコンベッドであって、
このシリコンベッドを受けるベッド枠体に、加温、及び／又は、加湿手段と、断熱手段を設け、このシリコンベッドを、母体の胎内温度である、略３８℃程度で、望ましくは、略３５℃〜３９℃程度とする構成としたシリコンベッド。
【請求項５】
請求項１に記載のシリコンベッドを利用したベッドであって、
このベッドは、前記シリコンベッドを受けるベッド枠体と、このベッド枠体を覆うカバー体で構成し、このベッド枠体を、このカバー体で覆うことで、ベッドの暗室と防音状態を確保し、この暗室、又は防音内に、前記シリコンベッドを、セットする構成としたベッド。
【請求項６】
請求項５に記載のベッドにおいて、
このベッド内に、温度センサ制御付き冷暖房装置、又は人工太陽光（レインボー）照射装置、マイナスイオン発生装置、磁場発生装置、身体の新陳代謝促進装置、超微動発振装置、或いは光と音によるモーニングコール装置の何れか一基か、又は複数基を付設する構成としたベッド。
【請求項７】
請求項５に記載のベッドにおいて、
このベッド内の空気を循環する配管を設け、この配管中に、フィルタ、不織布、膜素材、薬液でなる清浄装置と、温湿度調整可能な空調機、薬液導入管を付設する構成としたベッド。
【発明の詳細な説明】
【技術分野】
【０００１】
本発明は、ホテル、旅館、又は自宅、その他の部屋、或いは公共施設、車輌等に使用するシリコンベッドと、このシリコンベッドを、セットする構成としたベッドに関する。
【背景技術】
【０００２】
シリコンベッドは、抗菌性と弾性（後述する、多孔性クッション、及び／又は、スポンジ性による弾性）に優れることから、昨今、重宝されていることと、高級品としての色合いが強い。従って、次のような発明でシリコンマットが紹介されている。特開２００５−１７７３７１号公報と、特開２００９−１４９８３６号公報、並びに特開２０１０−２７０２４０号公報が挙げられる。しかし、この文献は、ベッドの材料として、シリコンを使用することに留まり、シリコンベッドの構造に関する説明はない。
【０００３】
また、スポンジ等の弾性素材（スポンジ素材とする）でなる枕、ベッドに関して、孔を開設すること、並びに圧迫感の解消、又は負荷対応の弾性を、ベッドに付与すること、等を意図した発明として、次のような構造が紹介されている。特表平７−５０６４９９号公報と、特開平１０−９９３５７号公報、並びに特開２００５−１３７５９６号公報が挙げられる。しかし、この文献は、ベッドに、孔をランダムに開設した構造であって、負荷に対する沈込みと、それによる弾性に留まっている。
【０００４】
さらには、スポンジ素材で、マットレスに、矩形の切込み（溝）を形成し、この切込み間に、方形状の突部を、多数個形成するとともに、この各突部の大きさを変更し、病人が起上る等の所作を、助成する構造として、特開２００４−１６６９２５号公報がある。この発明は、人の行動の容易性と、介護者の介護の容易性を図ることに留まる。
【０００５】
この各文献は、従来のベッドに、改良を加えて、快適な睡眠と、睡眠中の病気治癒等を意図する。しかしながら、本発明が意図する、例えば、癒し空間と眠り空間を確保すること、又は人の荷重に対応して、それぞれの弾性（切条構造と、この切条形状・密度等によるクッション性）を確保することで、快適な睡眠と、目覚めを確保すること、並びにシリコンベッドの全体の温度を、例えば、３５℃〜３９℃程度（胎内温度「母体の温度」）とし、快適な睡眠と、母の胎内における睡眠状態（赤ちゃんの状態）を確保し、癒しとストレス解消、又は睡眠の喜びを確立すること、等を達成するには、十分とは考えられない。
【０００６】
【特許文献１】特開２００５−１７７３７１号公報
【特許文献２】特開２００９−１４９８３６号公報
【特許文献３】特開２０１０−２７０２４０号公報
【特許文献４】特表平７−５０６４９９号公報
【特許文献５】特開平１０−９９３５７号公報
【特許文献６】特開２００５−１３７５９６号公報
【特許文献７】特開２００４−１６６９２５号公報
【発明の概要】
【発明が解決しようとする課題】
【０００７】
上記に鑑み、本発明は、後述する、シリコンベッドの構造を提案することで、例えば、癒し空間と眠り空間を確保すること、又は人の荷重に対応して、それぞれの弾性を確保することで、快適な睡眠と、目覚めを確保すること、並びにシリコンベッドの全体の温度を、例えば、３５℃〜３９℃程度（胎内温度「母体の温度」）とし、快適な睡眠と、新陳代謝の効果と、又は母の胎内における成長状態（赤ちゃんの状態）を確保し、癒しとストレス解消を図ること、或いは睡眠の必要性を確立すること、等を意図する。さらに、睡眠の際に、外との遮断を図り、静寂で、かつ落着いた環境の中で行え、しかも時間を費やすことを忘れさす、心より、満足できる結果を確保することにある。また、ベッド空間を、暗室かつ防音が図れる構造として、宇宙空間の雰囲気「仮に眼を覚ましても、再び眠りに付く雰囲気」を提供する。尚、本発明は、荷重に対応した、弾性（切条構造と、この切条形状・密度等によるクッション性）を有するシリコンベッドにより、浮遊状態での睡眠が確保できることで、例えば、朝起きた時に疲れがなく、かつ腰や肩等が軽く感じ、かつ十分な睡眠が確保できることを特徴とする。
【課題を解決するための手段】
【０００８】
前述の目的を達成するために、次に示す、請求項１〜請求項９を提案する。
【０００９】
請求項１の発明では、寝具のベッドマットを、シリコンで成形したシリコンベッドとする構成であって、
このシリコンベッドには、素材が有する弾性に、さらに浮遊性を確保するために、その表面から内部に向かって複数の切条を形成し、この複数の切条で切条領域を形成するとともに、このそれぞれの切条領域は、少なくとも、前記シリコンベッドに就寝する人の身体の各部位に対応した構成であり、
かつこのそれぞれの切条領域の、少なくとも、深さ、及び／又は、面密度により、前記浮遊性を確保し、このそれぞれの切条領域で、人が就寝した際に、前記各部位が、人の荷重に対応可能とする構成としたシリコンベッドである。
【００１０】
請求項２の発明では、請求項１に記載のシリコンベッドにおいて、
前記それぞれの切条領域は、少なくとも、深さ、及び／又は、面密度を、次のような順序とする構成としたシリコンベッドである。
【００１１】
第一が、臀部で、第二が、頭部で、第三が、肩部で、第四が、脚部である。
【００１２】
請求項３の発明では、請求項１に記載のシリコンベッドにおいて、
前記それぞれの切条領域は、渦型、角型、波形、又は菱型、三角型、直線型の構造とするシリコンベットである。
【００１３】
請求項４の発明では、請求項１に記載のシリコンベッドであって、
このシリコンベッドを受けるベッド枠体に、加温、及び／又は、加湿手段と、断熱手段を設け、このシリコンベッドを、母体の胎内温度である、略３８℃程度で、望ましくは、略３５℃〜３９℃程度とする構成としたシリコンベッドである。
【００１４】
請求項５の発明では、請求項１に記載のシリコンベッドを利用したベッドであって、
このベッドは、前記シリコンベッドを受けるベッド枠体と、このベッド枠体を覆うカバー体で構成し、このベッド枠体を、このカバー体で覆うことで、ベッドの暗室と防音状態を確保し、この暗室、又は防音内に、前記シリコンベッドを、セットする構成としたベッドである。
【００１５】
請求項６の発明では、請求項５に記載のベッドにおいて、
このベッド内に、温度センサ制御付き冷暖房装置、又は人工太陽光（レインボー）照射装置、マイナスイオン発生装置、磁場発生装置、身体の新陳代謝促進装置、超微動発振装置、或いは光と音によるモーニングコール装置の何れか一基か、又は複数基を付設する構成としたベッドである。
【００１６】
請求項７の発明では、請求項５に記載のベッドにおいて、
このベッド内の空気を循環する配管を設け、この配管中に、フィルタ、不織布、膜素材、薬液でなる清浄装置と、温湿度調整可能な空調機、薬液導入管を付設する構成としたベッドである。
【発明の効果】
【００１７】
請求項１の発明は、寝具のベッドマットを、シリコンで成形したシリコンベッドとする構成であって、
シリコンベッドには、素材が有する弾性に、さらに浮遊性を確保するために、表面から内部に向かって複数の切条を形成し、複数の切条で切条領域を形成するとともに、このそれぞれの切条領域は、少なくとも、前記シリコンベッドに就寝する人の身体の各部位に対応した構成であり、
かつそれぞれの切条領域の、少なくとも、深さ、及び／又は、面密度により、浮遊性を確保し、それぞれの切条領域で、人が就寝した際に、各部位が、人の荷重に対応可能とする構成としたシリコンベッドである。
【００１８】
従って、請求項１は、癒し空間と眠り空間を確保できるシリコンベッドを提供できること、又は人の荷重に対応して、それぞれの弾性を確保することで、快適な睡眠と、目覚めを確保できること、並びにシリコンベッドの全体の温度を、例えば、３５℃〜３９℃程度（胎内温度「母体の温度」）とし、快適な睡眠と、母の胎内における睡眠状態（赤ちゃんの状態）を確保し、癒しとストレス解消、又は睡眠の喜びを確立できること、等の効果がある。さらに、請求項１は、睡眠の際に、外との遮断を図り、静寂で、かつ落着いた環境の中で行え、しかも時間を費やすことを忘れさす、心より、満足できる結果を確保できる利点がある。また、請求項１は、荷重に対応した、弾性を有するシリコンベッドとし、朝起きた時に疲れがなく、かつ腰や肩等が軽く感じ、かつ十分な睡眠が確保できる（眠りの品質確保が叶えられる）ことを特徴とする。
【００１９】
請求項２の発明では、請求項１に記載のシリコンベッドにおいて、
それぞれの切条領域は、少なくとも、深さ、及び／又は、面密度を、次のような順序とする構成としたシリコンベッドである。
【００２０】
第一が、臀部で、第二が、頭部で、第三が、肩部で、第四が、脚部である。
【００２１】
従って、請求項２は、請求項１の効果を達成し、かつこの効果を達成するに最適な、切条領域の深さ、及び／又は、面密度を提供できる。
【００２２】
請求項３の発明では、請求項１に記載のシリコンベッドにおいて、
それぞれの切条領域は、渦型、角型、波形、又は菱型、三角型、直線型の構造とするシリコンベットである。
【００２３】
従って、請求項２は、請求項１の効果を達成し、かつこの効果を達成するに最適な、切条領域の形状を提供できる。
【００２４】
請求項４の発明では、請求項１に記載のシリコンベッドであって、
シリコンベッドを受けるベッド枠体（全側面及び底面、又は、底面のみ等）に、加温、及び／又は加湿手段と、断熱手段を設け、シリコンベッドを、母体の胎内温度である、略３８℃程度で、望ましくは、略３５℃〜３９℃程度とする構成としたシリコンベッドである。
【００２５】
従って、請求項４は、請求項１の効果を達成し、かつこの効果を達成するに最適な、シリコンベッドの温度管理を提供できる。
【００２６】
請求項５の発明では、請求項１に記載のシリコンベッドを利用したベッドであって、
ベッドは、シリコンベッドを受けるベッド枠体と、ベッド枠体を覆うカバー体で構成し、ベッド枠体を、カバー体で覆うことで、ベッドの暗室と防音状態を確保し、暗室、又は防音内に、シリコンベッドを、セットする構成としたベッドである。
【００２７】
従って、請求項５は、請求項１の効果を達成し、かつこの効果を達成するに最適な、ベッド空間を、暗室かつ防音が図れる構造として、宇宙空間の雰囲気「仮に眼を覚ましても、再び眠りに付く雰囲気」（浮遊状態）を提供できる。
【００２８】
請求項６の発明では、請求項５に記載のベッドにおいて、
ベッド内に、温度センサ制御付き冷暖房装置、又は人工太陽光（レインボー）照射装置、マイナスイオン発生装置、磁場発生装置、身体の新陳代謝促進装置、超微動発振装置、或いは光と音によるモーニングコール装置の何れか一基か、又は複数基を付設する構成としたベッドである。
【００２９】
請求項７の発明では、請求項５に記載のベッドにおいて、
ベッド内の空気を循環する配管を設け、配管中に、フィルタ、不織布、膜素材、薬液でなる清浄装置と、温湿度調整可能な空調機、薬液導入管を付設する構成としたベッドである。
【００３０】
従って、請求項６・７は、請求項５の効果を達成し、かつこの効果を達成するに最適な、ベッド内の構造を提供できる。
【図面の簡単な説明】
【００３１】
【図１】シリコンベッドの要部を欠截した平面図
【図２】図１のＡ−Ａ断面図
【図３】（ａ）切条の一例で、渦型を示した拡大模式図、（ｂ）切条の一例で、波型を示した拡大模式図、（ｃ）切条の一例で、菱型を示した拡大模式図、（ｄ）切条の一例で、三角型を示した拡大模式図、（ｅ）切条の一例で、直線型を示した拡大模式図
【図４−１】シリコンベッドに人が就寝している状態の模式図
【図４−２】図４−１の要部の拡大模式図
【図５】ベッドの拡大斜視図。ベッドの密閉空間と暗室を確保する構造を拡大して示す
【図６】ベッドが設置されたベッドルームであって、このベッドに、音声手段、照明器具、ＩＴ機器をセットした一例の側面図
【図７】部屋に太陽光エネルギーを誘引し、ベッドに横臥する人に、太陽光エネルギーによるカラー療法（治療）の治療空間としての活用の一例を示した模式図。図中に制御盤の拡大斜視図
【図８】シリコンベッドの面密度・面積と、深さの組合せの一例を示した図表
【発明を実施するための形態】
【００３２】
図１〜図３と、図４−１、図４−２等に示した、後述する深さを確保するために、望ましくは、従来のベッドマットの略２倍程度の厚みを有する構造のシリコンベッド１は、素材が有する弾性（多孔性クッション、及び／又は、スポンジ性による）を備えたシリコンでなる。このシリコンベッド１に関して、好ましい構造を説明する。シリコンベッド１には、このシリコンベッド１の上に就寝する人Ｈの各部位、例えば、臀部Ｈ１、頭部Ｈ２と、肩部Ｈ３、又は脚部Ｈ４に掛かる荷重Ｇ（負荷、又は重さと、必要により、寝方等）に、それぞれ相当した深さ、及び／又は、面密度と、面積（深さ・面密度・面積）を形成する切条２（臀部の切条２ａ、頭部の切条２ｂ、肩部の切条２ｃ、脚部の切条２ｄ〜他部の切条２ｎ）を、シリコンベッド１の表面１ａから内部１ｂに向かって形成する。この切条２は、素材が有する弾性に、さらに浮遊性を確保するために、次のような構造が望ましい。例えば、溝でなく、荷重Ｇがない際には、離間されず接触し、平面視して、フラット面を形成し、又は断面視して、端面を形成する（浮遊性を確保できる構成である。後述する）。例えば、図２の如く、荷重Ｇがない場合には、切条２（切条領域２−２）は、離間されず接触し、切条２が視認できない状態である。また、図４−１、殊に、図４−２の如く、荷重Ｇが掛かった場合には、切条２、及び／又は、切条２間のシリコンベッド材１００（襞１００ａ形状と考えられる）が変形し、この襞１００ａが波形に弾性変形する状態か、又は切条２の働きで、切条２間が個別に（襞１００ａ）、弾性変形する状態であることが視認できる。そして、この波形が、荷重Ｇに対応して、変化する。例えば、請求項２に記載の如く、切条２の深い（表面１ａから内部１ｂに向かった切条２の深さである）順番と、面密度（表面１ａの面方向における切条２間隔である）の細かい順番は、第一が、臀部の切条２ａで、第二が、頭部の切条２ｂで、第三が、肩部の切条２ｃで、第四が、脚部の切条２ｄとして、人Ｈの各部位の荷重Ｇに対応し、この各部位を、シリコンベッド１で、包込む状態を確保（最適な弾性を確保）すること、安心した包込み状態であって、安眠できる状況を確保すること、等である。そして、本発明で、大切なことは、シリコンベッド１が、母体の胎内の雰囲気を醸成できる状況を確保すること、等である。また、前記切条２の面積は、人Ｈのシリコンベッド１に当接する部位で、変更される構造であり、例えば、面積の大きい順番は、第一が、臀部の切条２ａで、第二が、頭部の切条２ｂで、第三が、肩部の切条２ｃで、第四が、脚部の切条２ｄとして、人Ｈの各部位の荷重Ｇに対応する。さらには、図示しないが、前記深さ・面密度・面積の組合せは、一例であることから、図８に示した各例（それぞれの人体、及び／又は、体格とか、必要により、好み）があるので、人Ｈの感覚と希望によると考えられる。この図において、大、中１、中２、小は、面密度・面積と、深さの大きさを示している。また、簡易な浮遊性を確保するには、深さであり、必要により面密度が付加される組合である。尚、図４−１は、人Ｈがベッド３に就寝し、正常の状態ＨＨが保たれていることを図示している。また、このベッド３の底下は、収納庫とするか、後述する各装置をセットする空間３０１とする。
【００３３】
また、前述の切条２の深い順番と、面密度の細かい順番、又は切条２の面積の大きい順番は、一例であり、これらの各順番を、それぞれ選択するとともに、これらの組合せ、希望する状態を確保することは、自由であり、この説明に限定されないこと、又は選択と、組合せの状況は、自由である。いずれにしても、前述した如く、素材が有する弾性に、さらに浮遊性、例えば、図４−１、図４−２に示したように、例えば、図示しない枕をなくし（枕使用も可能である）、人を包込み、抱擁する状態であって、極端なことを云えば、胎内に赤ちゃんが成育する状態を云う。従って、上布団なしでも、胎内温度が確保でき、かつ就寝する人Ｈが冷気、又は暖気を、感じない状態を確保する。このように、本発明の効果を達成するために、最善な方法と構造を採用する。
【００３４】
さらに、この切条２の形状の各例を説明すると、図３（ａ）は、渦型の切条２であり、最も、標準的であり、かつ本発明の効果が期待できると考えられる。また、図３（ｂ）は、波型の切条２であり、最も、製作容易で、かつ耐久性があって、本発明の効果が期待できると考えられる。図３（ｃ）は、菱型の切条２であり、図３（ａ）と同じと考えられる。次に、図３（ｄ）は、三角型の切条２であり、図３（ａ）と同じと考えられるが、寝返り等の特殊な体勢に対応可能と考えられる。図３（ｅ）は、直線型の切条２であり、図３（ｂ）と同じく、製作容易であって、かつ本発明の効果が期待できると考えられる。以上の例に限定されず、種々の形状が考えられる。
【００３５】
図５等に示したシリコンベッド１を利用した、ベッド３に関して、好ましい構造を説明する。ベッド３は、ホテル、旅館、自宅等の建物であって、暗室で、かつ防音の構造の部屋４、及び／又は、ベットルーム５に、設けられる。従って、このベッド３は、開閉式のドーム形の扉３００を有しており、この例では、ベッド３の長手方向の側面側で、兆番等を利用して開閉する。そして、閉塞時は、ベッド３は、（完全）暗室で、かつ（完全）防音の構造となる。この暗室と防音を図る一例として、図５に示すように、ベッド枠体３ａの溝に、扉３００の端部を嵌合する。また、その他の隙間は、シールを施す。このベッド３を、ベットルーム５に設ける好ましい、一例を以下に、説明する。尚、ベッド３には、安全手段が設けられる。例えば、壁に設けた脱出パネル５ａ（脱出ルート）、扉開閉用取手５ｂ（自動、又は手動）、非常コール５ｃ、鍵、窓、カーテン等を付設する。
【００３６】
先ず、図６に拡大して示した例は、暗室で、かつ完全防音の構造のベッド３では、最高の癒し、眠りと、疲労回復並びに治療の治癒が確保できる、所謂、癒し空間と眠り空間Ｂを確保する。また、ベッド３の内部には、暗室で役立つ、例えば、目覚まし機能（モーニングコール装置）、必要時に点灯する照明機能、又は映像機能、音声機能、緊急情報機能、通信機能等を内蔵するＩＴ機器６を設ける。このＩＴ機器６は、手動、又は、自動の角度調整等の調整機構とスイッチ等を内蔵する。ベッド３は、シャッタ、エアーカーテン等の、他の手段で密閉形式を造ることもある。しかし、場合により、前述の密閉形式に代え、解放形式とし、ベッドルーム５の密閉形式（密閉構造）を利用することも可能である。このベッド３では、前述の母体の胎内温度である、略３８℃程度で、望ましくは、略３５℃〜３９℃程度とする構成に最適である。そして、前記母体の温度を確保するために、ベッド３には、図４−２に示した如く、ベッド枠体３ａの床面の一部、又は全体には、断熱材７と、熱源８（又は、加湿手段もあり得る）を備えている。図中９はベッドルーム５の照明を示す。
【００３７】
次に、図７に拡大して示した例は、図示しない、温度センサ制御付き冷暖房装置、又は図示の人工太陽光（レインボー）照射装置（カラー療法器具、健康器具等）「後述する」、図示しない、マイナスイオン発生装置、同磁場発生装置、同身体の新陳代謝促進装置、同超微動発振装置、或いは光と音によるモーニングコール装置の何れか一基か、又は複数基を付設する構成としたベッドルーム５に付設する一例を示したものであり、人工太陽光発生装置１０（必要により、太陽光集光装置もあり得る）を、建物Ａの屋上、鉄塔、屋根等に設置し、この人工太陽光発生装置１０よりケーブル１１を利用し、部屋１、及び／又は、ベッドルーム５に導き、クリスタル、プリズム１２を備えた人工太陽光照射装置１３（レインボー治療装置・施術）を利用し、人Ｈに、０．５時間〜１．５時間程度照射し、後述する、各色の効果、即ち、レインボーカラーによる効果が期待できる。この人工太陽光照射装置１３は、例えば、太陽光エネルギー照射を図る部位、及び／又は、照射程度、疾病・生育・緊急の程度、又は希望により、変更される。また、この人工太陽光照射装置１３の形状、及び／又は、大きさは適宜変更される。この人工太陽光照射装置１３は、連結具１５を介して、簡易に着脱できる構造が望ましい。この人工太陽光照射装置１３からの照射を利用して、疾病の治療と、光の色を選択して、疾病の治療と機能向上を図る。例えば、健康（疾病の治癒・健康維持・殺菌「除菌」）、育成に良い波長、及び／又は、色を選択し、この波長、及び／又は、色を照射することで、例えば、血流の促進、細胞の活発化、又は新陳代謝の促進、また、免疫機能の維持かつ拡充を図って健康を維持すること、また、ビタミンＤが不足する深夜作業者、事務職、地中作業者、入院患者等に役立ち、もって健康維持に役立つこと、又は植物、家畜等の育成効果を拡充できること等の特徴がある。そして、また、前記この波長、及び／又は、色のパターンを選択、及び／又は、色のパターンを重畳し、前記効果を拡充できること、又はこれらの実益性の向上に有効であること等の特性を有する。さらに、この布団、衣服、家具、衛生器具又は室内等の乾燥、及び／又は、殺菌効果の達成、及び／又は、拡充を図ることも可能であり有益である。この図７には、指示釦・総合判断ＣＰＵと、その指令伝達等の制御装置１４が設けられており、各病名（糖尿病、肝臓・胃腸・大腸・肺機能低下等の病名）をインプットすることで、制御装置１４より選択された色と、この色の量、並びに照射時間等が照射される構造であり、プログラムに沿って、自動制御される。人Ｈは安心して、かつ落着いた状況で、レインボー治療施術ができる。
【００３８】
尚、図６、図７に示すように、ベッドルーム５間を繋ぐ配管１７を設ける。この配管１７には、空調機１６と、フィルタ、不織布、膜素材、薬液でなる清浄装置１８を設けてある。また、２０はこの空調機１６に設けた配管を示している。また、配管１７には、薬液導入管１７００が設けられている。
【００３９】
前記レインボーカラーによる効果（色によるカラー療法）の一例を説明すると、例えば、次のようなことが、経験則で考えられるので、説明する。「イ」では、赤は、エネルギーとバイタリティの色であり、心と体にエネルギーとバイタリティを供給する色である。この赤色の光の波長は、私たちが活動するための神経「交感神経」を刺激し、かつ脈拍が上がり、体温が上昇し、血液の循環がよくなり、例えば、慢性的な冷え性やカゼの緩和に効果的がある。実際、赤色が多い部屋では、体感温度が２〜３℃上がると考えられる。また、赤色の光は、アドレナリンの分泌を促進する。尚、血液の循環をよくする作用から、低血圧や高血圧にも効果的である。性的欲求も活発になるため、子どもが欲しい方、倦怠期のご夫婦などにもおすすめの色である。さらに、心への影響は、やる気を起こさせる。赤の光は、心身を活動的な状態にし、やる気を起こさせます。無気力、倦怠感とか、臆病の解消にも、この赤色はお勧めで有り、例えば、赤色の衣服等を、身につけることでも効果がある。そして、この赤色は、創造性も刺激するので、クリエイティブな仕事に携わっている方が集中して何かを創りたいときにもおすすめであり、かつ緊急事態にも的確に判断を下せる。「ロ」では、黄色は、知性と希望の光であり、人の左脳を刺激し、知性・理解力・記憶力を高める。論理的な判断が必要な場や、自制心をコントロールしたいときに、知力を高め、不安を消し去ってくれる。そして、あらゆる神経に作用し、消化を助け、胃を強くし、胃腸内にたまったガスを排出する特質をもちます。また、黄色は、もっとも自然光に近い色である。人に喜びや希望を与え、楽天的な考え方をもたらし、社交的で楽しい気分を生み出すと考えられる。この黄色は、体への影響は、神経・皮膚・消化器系を癒し、しかも、神経や皮膚、消化器系に影響を与える。従って、あらゆる神経に作用し、消化を助け、胃を強くし、胃腸内のガスを排出する特質をもつ。そして、さらに、二日酔いのときには黄色いものが心地よく感ずる。これは、黄色の光が消化器系や神経系と関係していると考えられる。殊に、神経の消耗、消化不良、便秘、糖尿病、また皮膚に関するあらゆる疾患にお悩みの方は、生活に黄色の光を取り入れるのが良い。「ハ」では、青色は、鎮静と信頼の色であり、心身の興奮を鎮め、ストレスを緩和する効果がある。そして、心を落ち着かせて、論理的に考える力、時間を気にせずに物事に集中する力を与え、また、空や海という壮大で無限の可能性を感じさせる深みのある色である。さらに、信頼と平和を与える色なので、人とのコミュニケーション、特に１対１のコミュニケーションをスムーズにする。青光（青色の光）は精神の興奮を抑える。興奮のしすぎやヒステリーに近い状態のとき、心に静けさや平和をもたらし、感情の緊張をほどき、やすらかな気分に導いてくれます。殊に、就寝前に青の光をあびると体内の熱を取り去るので、ぐっすりと眠ることができる。寝付けないときは、青のパジャマを身に着け、ベッドサイドに青の小物を置くのが理想である。一方、体への影響は、熱を下げ、喉の炎症を抑えることと、副交感神経に作用するため、体温や脈拍が下がり、呼吸もゆっくりと深くなり、気持ちが落ち着く。これにより、伝染性の病気に耐える体を造り、皮膚の熱を取り去ることにより、皮膚を引き締め、収れん効果をもたらし、しかも、熱を下げ、喉の炎症を抑える効果があるので、カゼや発熱、頭痛のときに効果的な色である。また、「ニ」では、緑色は、自然との結びつきが強く、バランスと調和をもたらし、かつ成長をもたらす光であり、また、リラックス効果と、精神のバランスを整える。人間は自然とのバランスを失うと極度にいらだちを感ずる。例えば、近頃、増えている凶悪犯罪や非行は、ビルやコンクリートの無機質な社会の中で苦しんでいる姿とも云えるのが現況である。従って、緑色は人間の神経をなだめ、心身の疲れを癒す大きな力をもっている。また、緑の野菜や果物をたくさん取り、図４で説明した森林浴や、部屋に観葉植物を置くこと、室内の外に、緑を感じ、かつ見ることで、緑の自然のエネルギーを得られる。そして、この緑色は、人間を精神的にも肉体的にも健康な状態にし、生物の成長を促す。また、緑色を身につけていると、自分の周りにも安心感を与え、人間関係がよくなる。尚、体への影響は、心臓、血圧のバランスを整え、心臓との結びつきが強くなる。また、腫瘍にも効果的です。腫瘍とは、細胞が調和を崩した状態において、緑の光が細胞や神経のバランスを整え、調和をもたらす。尚、腫瘍の治療に、緑色植物の体内の細胞にある緑色の色素「クロロフィル」が使われることも、興味深いところです。クロロフィル、体内の毒素を浄化し、肌や内臓のバランスを整えるデトックス効果にも注目されている。また、「ホ」では、ピンク色は、愛と幸せの光であり、かつ無条件の愛と慈悲を象徴する色であり、かつ幸福感や心の温まりを感じさせる色である。即ち、恋愛を成就させたいときや、幸せを感じたいときに有効な色で、人を思いやり愛と友情を育むエネルギーをもたらす。従って、心がひどく混乱しているときや、ネガティブな感情にとらわれているときなどは、ピンクの光が優しく包み込んでくれる。過度のストレスを感じるときや、感情が不安定な時、等にも効果的である。このことから、体への影響は、若返り効果があり、脳波に影響を与え、心身を若返らせる。換言すると、ピンク色をイメージして、深い呼吸を繰り返してみると、例えば、肌は若々しく輝き、しわも薄くなり、かつ疲れた身体を休める効果や、婦人科系の疾患にも有効である。例えば、病院の壁にピンクを取り入れ、病気の治癒を早めていることが知られている。ピンク色は、一般的に、心への影響として、幸せな気分になり、かつ人を思いやる温かさを与えてくれる。そして、心が不安定になったときに有効である。
【００４０】
本発明では、シリコンベット１は、図示しない、ホテル、旅館、又は自宅等の建屋のベッドルーム５を活用し、癒し空間と眠り空間Ｂによる、最高の眠りを確保できる。この構成と効果を、世界の全てのベッドルーム５で活用することで、人Ｈへの最高の贈り物として、また、生命の維持、いじめの解消と、疾病回復・向上に役立ち、さらに、世界平和にも役立つことは明らかである。前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。そして、各国・地方等の慣習を発明の中に組み入れることは、勿論必要である。
【００４１】
また、本発明において、ベッドルーム５では、予約券の配布とか、ネット、及び／又は，コンピュータ等のＩＴ機器（図示せず）を利用し、順番確保、又は混雑解消・交通機関整理・時間管理等に役立てること、或いはベッドルーム５を、全国、及び／又は、世界で展開すること、並びに万人に、かつ均しく癒し空間と眠り空間Ｂを提供できること、等の有益性がある。尚、自宅においては、ベッドルーム５、及び／又は、ベッド３のレンタル業務もあり得る。このレンタル業務は、ホテル、旅館、公共施設、車輌等でも同様に利用できる。殊に、車輌にセットする方式では、寝たきり人Ｈのケアとストレス解消、又は前述した、各効果が期待できる。さらに、カラー療法では、車輌への搭載が可能であり、前述のベッドルーム５と同じ効果が期待できる。
【符号の説明】
【００４２】
Ａ          建物
Ｂ          癒し空間と眠り空間
１          シリコンベッド
１００      シリコンベッド材
１００ａ    襞
２          切条
２−２      切条領域
２ａ        臀部の切条
２ｂ        頭部の切条
２ｃ        肩部の切条
２ｄ        脚部の切条
２ｎ        他部の切条
３          ベッド
３ａ        ベッド枠体
３００      扉
３０１      空間
４          部屋
５          ベッドルーム
５ａ        脱出パネル
５ｂ        取手
５ｃ        非常コール
６          ＩＴ機器
７          断熱材
８          熱源
９          照明
１０        人工太陽光発生装置
１１        ケーブル
１２        プリズム
１３        人工太陽光照射装置
１４        制御装置
１５        連結具
１７        配管
１７００    薬液導入管
１８        清浄装置
２０        配管
Ｈ          人
Ｈ１        臀部
Ｈ２        頭部
Ｈ３        肩部
Ｈ４        脚部
ＨＨ        正常な状態
【図１】
2014068982.tif 000003
【図２】
2014068982.tif 000004
【図３】
2014068982.tif 000005
【図４−１】
2014068982.tif 000006
【図４−２】
2014068982.tif 000007
【図５】
2014068982.tif 000008
【図６】
2014068982.tif 000009
【図７】
2014068982.tif 000010
【図８】
2014068982.tif 000011